(57)【要約】      （修正有）【課題】端子挿入時の案内機能を確実に確保することができるコネクタを提供することを目的とする。【解決手段】コネクタ１は、第１端子１００を挿入可能であるキャビティ３と、第１端子１００を係止可能である係止爪５と、ハウジング２の端部壁２１を貫通しキャビティ３と連通する挿入口６と、端部壁２１の外面２１ａ側にテーパ状に形成され第２端子１０１を挿入口６へ案内可能である案内傾斜面７と、挿入口６との間に隔壁９を挟んで中空状に形成され、延在方向に沿って端部壁２１の外面２１ａから係止爪５まで延在する隣接空間部８とを備える。案内傾斜面７は、隔壁側傾斜面７２と、離間側傾斜面７１、７３とを有し、隔壁側傾斜面７２は、延在方向に対する傾斜角度が離間側傾斜面７１、７３の傾斜角度より小さく、かつ、端部壁２１の外面２１ａ側の縁の全体が当該端部壁２１の外面２１ａに位置する。【選択図】図１
2016038979.tif 000002
【特許請求の範囲】
【請求項１】
ハウジングの内部に延在して中空状に形成され延在方向に沿って第１端子を挿入可能であるキャビティと、
前記ハウジングの内部に形成され前記キャビティに挿入された前記第１端子を係止可能である係止爪と、
前記キャビティの前記延在方向の一方側に位置する前記ハウジングの端部壁を前記延在方向に沿って貫通し前記キャビティと連通する挿入口と、
前記端部壁の外面側に前記挿入口を囲んで前記挿入口側から前記外面側に向けて広がるテーパ状に形成され前記第１端子と接続される第２端子を前記挿入口へ案内可能である案内傾斜面と、
前記ハウジングの内部に前記延在方向と交差する方向に対して前記挿入口との間に隔壁を挟んで中空状に形成され、前記延在方向に沿って前記端部壁の外面から前記係止爪まで延在する隣接空間部とを備え、
前記案内傾斜面は、少なくとも前記隔壁側に位置する隔壁側傾斜面と、前記隔壁側傾斜面より前記隔壁から離間した側に位置する離間側傾斜面とを有し、
前記隔壁側傾斜面は、前記延在方向に対する傾斜角度が前記離間側傾斜面の傾斜角度より小さく、かつ、前記端部壁の外面側の縁の全体が当該端部壁の外面に位置することを特徴とする、
コネクタ。
【請求項２】
前記隔壁側傾斜面は、前記隔壁に形成され、前記端部壁の外面側の縁が前記隣接空間部の前記端部壁の外面側の縁と隣接する、
請求項１に記載のコネクタ。
【請求項３】
前記隔壁側傾斜面の面積は、当該隔壁側傾斜面の傾斜角度が前記離間側傾斜面の傾斜角度と同等であると仮想した場合の仮想面積より大きい、
請求項１又は請求項２に記載のコネクタ。
【発明の詳細な説明】
【技術分野】
【０００１】
本発明は、コネクタに関する。
【背景技術】
【０００２】
従来のコネクタとして、例えば、特許文献１には、端子金具が挿入されるキャビティを有するハウジングと、相手側端子をキャビティに進入させるための進入孔と、相手側端子を進入孔へ誘導するための誘導斜面と、キャビティ内に挿入された端子金具を係止するランスとを備えたコネクタが開示されている。進入孔は、当該キャビティの前面壁に貫通して形成され、誘導斜面は、当該キャビティの前面壁の前面に進入孔を包囲するようにテーパ状に形成される。また、ランスは、キャビティの内壁に沿って片持ち状に延出して形成される。
【先行技術文献】
【特許文献】
【０００３】
【特許文献１】特開２００９−１２３３７３号公報
【発明の概要】
【発明が解決しようとする課題】
【０００４】
ところで、このようなコネクタは、例えば、ランスによる端子保持力を向上させるために当該ランスのキャビティ内への進出量を相対的に大きくする場合、当該ランスを形成するための金型の型抜き空間によって誘導斜面の一部が切り欠かれる場合がある。この場合、コネクタは、誘導斜面に形成された切り欠きによって、端子挿入時の案内機能が低下するおそれがあり、この点で、更なる改善の余地がある。
【０００５】
本発明は、上記の事情に鑑みてなされたものであって、端子挿入時の案内機能を確実に確保することができるコネクタを提供することを目的とする。
【課題を解決するための手段】
【０００６】
上記目的を達成するために、本発明に係るコネクタは、ハウジングの内部に延在して中空状に形成され延在方向に沿って第１端子を挿入可能であるキャビティと、前記ハウジングの内部に形成され前記キャビティに挿入された前記第１端子を係止可能である係止爪と、前記キャビティの前記延在方向の一方側に位置する前記ハウジングの端部壁を前記延在方向に沿って貫通し前記キャビティと連通する挿入口と、前記端部壁の外面側に前記挿入口を囲んで前記挿入口側から前記外面側に向けて広がるテーパ状に形成され前記第１端子と接続される第２端子を前記挿入口へ案内可能である案内傾斜面と、前記ハウジングの内部に前記延在方向と交差する方向に対して前記挿入口との間に隔壁を挟んで中空状に形成され、前記延在方向に沿って前記端部壁の外面から前記係止爪まで延在する隣接空間部とを備え、前記案内傾斜面は、少なくとも前記隔壁側に位置する隔壁側傾斜面と、前記隔壁側傾斜面より前記隔壁から離間した側に位置する離間側傾斜面とを有し、前記隔壁側傾斜面は、前記延在方向に対する傾斜角度が前記離間側傾斜面の傾斜角度より小さく、かつ、前記端部壁の外面側の縁の全体が当該端部壁の外面に位置することを特徴とする。
【０００７】
また、上記コネクタでは、前記隔壁側傾斜面は、前記隔壁に形成され、前記端部壁の外面側の縁が前記隣接空間部の前記端部壁の外面側の縁と隣接するものとすることができる。
【０００８】
また、上記コネクタでは、前記隔壁側傾斜面の面積は、当該隔壁側傾斜面の傾斜角度が前記離間側傾斜面の傾斜角度と同等であると仮想した場合の仮想面積より大きいものとすることができる。
【発明の効果】
【０００９】
本発明に係るコネクタは、隔壁側傾斜面の傾斜角度が離間側傾斜面の傾斜角度より小さく設定され、かつ、当該隔壁側傾斜面の、端部壁の外面側の縁の全体が当該端部壁の外面に位置することから、当該隔壁側傾斜面が隣接空間部によって切り欠かれないように構成することができる。したがって、コネクタは、例えば、隔壁側傾斜面と隣接空間部とが近接する場合であっても、隔壁側傾斜面の縁を離間側傾斜面と同様に端部壁の外面に揃えることができ、隔壁側傾斜面を適正に確保することができる。この結果、コネクタは、第２端子を案内傾斜面によって確実に挿入口へ案内することができるので、端子挿入時の案内機能を確実に確保することができる、という効果を奏する。
【図面の簡単な説明】
【００１０】
【図１】図１は、実施形態に係るコネクタの概略構成を示す断面図である。
【図２】図２は、実施形態に係るコネクタの案内傾斜面側の正面図である。
【図３】図３は、実施形態に係るコネクタの案内傾斜面を含む部分断面図である。
【図４】図４は、比較例に係るコネクタの案内傾斜面を含む部分断面図である。
【図５】図５は、比較例に係るコネクタの案内傾斜面側の正面図である。
【発明を実施するための形態】
【００１１】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１２】
［実施形態］
図１は、実施形態に係るコネクタの概略構成を示す断面図である。図２は、実施形態に係るコネクタの案内傾斜面側の正面図である。図３は、実施形態に係るコネクタの案内傾斜面を含む部分断面図である。図４は、比較例に係るコネクタの案内傾斜面を含む部分断面図である。図５は、比較例に係るコネクタの案内傾斜面側の正面図である。なお、図１は、キャビティの延在方向に沿った断面図であり、図２中に示すＡ−Ａ断面図に相当する。また、図３は、図１中に示す囲み線Ｂ近傍の部分断面図に相当する。
【００１３】
本実施形態に係るコネクタ１は、図１に示すように、第１の電線の端末に設けられる第１端子としてのメス端子１００と、第２の電線の端末に設けられる第２端子としてのオス端子１０１とを電気的に接続する、いわゆる、電線対電線接続用の接続機構である。コネクタ１は、典型的には、係止爪としての可撓アームランス（以下、単に「ランス」という場合がある。）５によるメス端子１００の係止機構を有している。
【００１４】
具体的には、コネクタ１は、図１、図２に示すように、ハウジング２と、キャビティ３と、メス端子挿入口４と、係止爪としてのランス５と、挿入口としてのオス端子挿入口６と、案内傾斜面７と、隣接空間部８とを備える。コネクタ１は、全体が絶縁性の合成樹脂等で構成される。コネクタ１は、全体が金型等を用いて一体成形される。
【００１５】
ハウジング２は、コネクタ１の本体を構成する構造体である。ハウジング２は、全体として略矩形箱（直方体）状に形成されている。キャビティ３、メス端子挿入口４、ランス５、オス端子挿入口６、案内傾斜面７、隣接空間部８等の各部が一体的に形成される。
【００１６】
キャビティ３は、ハウジング２の内部に延在して中空状に形成される。キャビティ３は、単極又は複数のメス端子１００を収容する端子収容室である。ここでは、キャビティ３は、単極のメス端子１００を収容する場合を例示している。キャビティ３は、メス端子１００を構成する雌型の端子金具を、延在方向に沿って挿入可能である。キャビティ３は、ハウジング２の４つの内壁面、より詳細には、第１内壁面３１、第２内壁面３２、第３内壁面３３、第４内壁面（不図示）等によって略矩形状の空間として形成される。ここで、第１内壁面３１と第２内壁面３２とは、互いに対向する。第３内壁面３３と第４内壁面とは、互いに対向すると共に第１内壁面３１、第２内壁面３２と略直交する。キャビティ３は、延在方向の一方側にハウジング２の端部壁２１が形成されると共に、延在方向の他方側にメス端子挿入口４が形成される。メス端子挿入口４は、メス端子１００が挿入（挿通）される開口としてハウジング２の外部に開口する。
【００１７】
なお、当該キャビティ３の延在方向は、典型的には、ハウジング２に対するメス端子１００及びオス端子１０１の挿入方向に相当し、一方側がオス端子１０１の挿入側、他方側がメス端子１００の挿入側となる。以下の説明では、延在方向（挿入方向）において、メス端子１００が挿入される側を「メス端子側」、オス端子１０１が挿入される側を「オス端子側」という場合がある。また、以下の説明では、便宜的に第１内壁面３１と第２内壁面３２とが対向する方向を「高さ方向」、第３内壁面３３と第４内壁面とが対向する方向を「幅方向」という場合がある。典型的には、第１の方向としての延在方向（挿入方向）と第２の方向としての高さ方向と第３の方向としての幅方向とは、相互に直交する。
【００１８】
ランス５は、ハウジング２の内部に形成されキャビティ３に挿入されたメス端子１００を係止可能なものである。ランス５は、可撓性を有するアーム状に形成される。ランス５は、キャビティ３を形成する第２内壁面３２から当該キャビティ３の延在方向に沿って突出するようにして形成される。ランス５は、延在方向において、メス端子側が基端部となり、オス端子側が先端部となるように延在方向に沿って形成される。ランス５は、メス端子側の基端部で弾性変形可能な片持ち状に支持され、オス端子側の先端部が自由端となる。ランス５は、先端部（すなわち、オス端子側）のキャビティ３側の面に係合爪部（ビーク）５１が形成される。ランス５は、この係合爪部５１側の一部がキャビティ３内に突出している。係合爪部５１は、メス端子側に斜面５１ａが形成され、オス端子側に段付部５１ｂが形成される。係合爪部５１の斜面５１ａは、メス端子１００がキャビティ３に挿入される際、当該メス端子１００の先端が当接し、ランス５全体を押し下げる分力を生じさせる部分である。係合爪部５１の段付部５１ｂは、ランス５全体が弾性復帰した状態で、メス端子１００に形成される被係合部に係合し、メス端子１００の離脱を規制する部分である。ランス５は、係合爪部５１の段付部５１ｂがメス端子１００の被係合部に係合することで、メス端子１００をキャビティ３内の所定の位置に係止する。
【００１９】
オス端子挿入口６は、キャビティ３の延在方向の一方側に位置する上述の端部壁２１を延在方向に沿って貫通しキャビティ３と連通するものである。オス端子挿入口６は、端部壁２１においてオス端子１０１が挿入（挿通）される開口としてハウジング２の外部に開口する。オス端子挿入口６は、幅方向が長辺となる略長方形状の開口として形成される（図２参照）。オス端子挿入口６は、幅方向に対する中心位置がキャビティ３の幅方向の中心位置とほぼ一致する位置に形成される。
【００２０】
案内傾斜面７は、メス端子１００と接続されるオス端子１０１をオス端子挿入口６へ案内可能なものである。案内傾斜面７は、端部壁２１の外面２１ａ側にオス端子挿入口６を囲んで形成される。案内傾斜面７は、オス端子挿入口６側から外面２１ａ側に向けて広がるテーパ状に形成される。案内傾斜面７は、オス端子１０１を構成する雄型の端子金具のタブ１０２がオス端子挿入口６に挿入される際にタブ１０２の先端部が当接することで、当該タブ１０２をオス端子挿入口６側に案内する。これにより、案内傾斜面７は、オス端子１０１のタブ１０２を、オス端子挿入口６を介してキャビティ３に挿入する動作を補助することができる。
【００２１】
ここでは、案内傾斜面７は、オス端子挿入口６の４方を囲う４つの傾斜面として、第１傾斜面７１、第２傾斜面７２、第３傾斜面７３、及び、第４傾斜面７４を含んで構成される。案内傾斜面７は、略長方形状のオス端子挿入口６に対して、第１傾斜面７１、第２傾斜面７２、第３傾斜面７３、第４傾斜面７４が全体として略ロの字型になるように形成される。案内傾斜面７は、第１傾斜面７１と第２傾斜面７２とが高さ方向に対して相互に対向し、第３傾斜面７３と第４傾斜面７４とが幅方向に対して相互に対向する。さらに言えば、案内傾斜面７は、端部壁２１において、第１傾斜面７１が第１内壁面３１側に形成され、第２傾斜面７２が第２内壁面３２側に形成され、第３傾斜面７３が第３内壁面３３側に形成され、第４傾斜面７４が第４内壁面側に形成される。
【００２２】
第１傾斜面７１と第２傾斜面７２とは、オス端子挿入口６側から外面２１ａ側に向けて、高さ方向に対して徐々に離間するように傾斜し、高さ方向に沿った断面視（例えば、図１参照）にて略ハの字型の形状をなす。第３傾斜面７３と第４傾斜面７４とは、オス端子挿入口６側から外面２１ａ側に向けて、幅方向に対して徐々に離間するように傾斜し、幅方向に沿った断面視（不図示）にて略ハの字型の形状をなす。これにより、案内傾斜面７は、第１傾斜面７１、第２傾斜面７２、第３傾斜面７３、第４傾斜面７４によって、上述したように、オス端子挿入口６側から外面２１ａ側に向けて広がるテーパ状に形成されることとなる。
【００２３】
隣接空間部８は、ハウジング２の内部に延在方向と交差する方向、ここでは、高さ方向に対してオス端子挿入口６との間に隔壁９を挟んで中空状に形成される。隣接空間部８は、延在方向に沿って端部壁２１の外面２１ａからランス５の基端部まで延在する。隣接空間部８は、ハウジング２の内部において、ランス５が設けられる側、すなわち、第２内壁面３２側に形成される。隔壁９は、ハウジング２と一体で形成される構造体であり、延在方向に沿って端部壁２１の外面２１ａからキャビティ３の一端まで形成される。隔壁９は、オス端子挿入口６と隣接空間部８との間を仕切る仕切り壁として機能する。隣接空間部８は、高さ方向に対して当該隔壁９を挟んでオス端子挿入口６と並んで形成される。さらに言えば、隣接空間部８は、案内傾斜面７の第２傾斜面７２側に隔壁９を挟んで形成される。また、隣接空間部８は、高さ方向に対してキャビティ３と隣接して中空状に形成される。隣接空間部８は、幅方向に対する中心位置がオス端子挿入口６、案内傾斜面７の幅方向の中心位置とほぼ一致する位置に形成される。
【００２４】
この隣接空間部８は、例えば、キャビティ３内に設けられるランス５を形成するための金型の型抜き用の空間として形成される。つまり、隣接空間部８は、ランス５の形成後に当該金型を端部壁２１側から引き抜くことで形成される空間である。このため、コネクタ１は、端部壁２１側から視た正面視（図２等参照）にて、隣接空間部８からランス５の係合爪部５１が視認可能な状態となっている。この隣接空間部８は、ランス５の係合爪部５１がメス端子１００の被係合部に係合する際に、当該ランス５が撓むためのランス退避空間として機能する。また、この隣接空間部８は、メス端子１００の中途挿入を検知するための検知ピン、ランス５によるメス端子１００の係止を解除するための解除ピン等、種々の治具ピンが挿入されるピン挿入空間としても機能する。
【００２５】
上記のように構成されるコネクタ１は、メス端子１００がメス端子挿入口４を介してキャビティ３に挿入されると共に、当該キャビティ３に挿入されたメス端子１００がランス５によってキャビティ３内の所定の位置に係止される。そして、コネクタ１は、オス端子１０１のタブ１０２がオス端子挿入口６を介してキャビティ３内のメス端子１００に挿入され嵌合することで、メス端子１００とオス端子１０１とが電気的に接続される。このとき、コネクタ１は、オス端子１０１のタブ１０２を、オス端子挿入口６を介してキャビティ３に挿入する際に、例えば、当該タブ１０２のアライメントがずれた場合であっても、タブ１０２の先端が案内傾斜面７にかかることで先端が拾われ、当該案内傾斜面７によってオス端子挿入口６側に案内される。この結果、コネクタ１は、オス端子１０１のタブ１０２を確実にオス端子挿入口６側に案内しキャビティ３内のメス端子１００に嵌合させることができる。
【００２６】
ところで、このようなコネクタ１は、例えば、小型化を図る場合、ランス５によってメス端子１００を係止する力（以下、「ランス５による端子保持力」という場合がある。）を適正に確保するため、ランス５の係合爪部５１の頭頂面５１ｃの高さ寸法Ｌ１を高くする場合がある。頭頂面５１ｃは、係合爪部５１において最もキャビティ３側に位置する面に相当し、当該頭頂面５１ｃの高さ寸法Ｌ１は、段付部５１ｂの高さ方向に沿った段差寸法に相当する。コネクタ１は、当該頭頂面５１ｃの高さ寸法Ｌ１を高くすることでランス５の係合爪部５１とメス端子１００の被係合部との係合代を相対的に大きくすることができ、これにより、ランス５による端子保持力を向上することができる。
【００２７】
一方、コネクタ１は、当該高さ寸法Ｌ１を高くするとランス５を形成するための金型の型抜き用の空間である隣接空間部８の高さ方向に沿った寸法もこれに伴って高くなる傾向にある。この場合、コネクタ１は、機構全体の小型化を図る中で、当該隣接空間部８の高さ方向に沿った寸法が相対的に高くなると、この隣接空間部８の端部壁２１側の開口が案内傾斜面７と重なって、当該案内傾斜面７の一部が切り欠かれてしまうおそれがある（例えば、図４、図５に例示する比較例参照。）。コネクタ１は、仮に、案内傾斜面７の一部が切り欠かれてしまうと、その分、端子挿入時の案内機能が低下してしまうおそれがある。
【００２８】
そこで、本実施形態のコネクタ１は、案内傾斜面７の一部の傾斜角度を調整することで、端子挿入時の案内機能を確実に確保することができるようにしている。
【００２９】
具体的には、本実施形態の案内傾斜面７は、上述したように、少なくとも隔壁９側に位置する隔壁側傾斜面としての第２傾斜面７２と、第２傾斜面７２より隔壁９から離間した側に位置する離間側傾斜面としての第１傾斜面７１、第３傾斜面７３、及び、第４傾斜面７４とを有して構成される。
【００３０】
そして、本実施形態の第２傾斜面７２は、図１、図２、図３に示すように、延在方向に対する傾斜角度θ１が第１傾斜面７１、第３傾斜面７３、第４傾斜面７４の傾斜角度θ２より小さく（θ１＜θ２）、かつ、オス端子挿入口６から端部壁２１の外面２１ａまで延在し、端部壁２１の外面２１ａ側の縁７２ａの全体が当該端部壁２１の外面２１ａに位置する。
【００３１】
第１傾斜面７１、第２傾斜面７２、第３傾斜面７３、第４傾斜面７４の延在方向に対する傾斜角度θ１、θ２は、それぞれキャビティ３の延在方向（オス端子１０１の挿入方向）に対して第１傾斜面７１、第２傾斜面７２、第３傾斜面７３、第４傾斜面７４が傾斜する角度である。さらに言えば、傾斜角度θ１、θ２は、それぞれキャビティ３の延在方向と第１傾斜面７１、第２傾斜面７２、第３傾斜面７３、第４傾斜面７４とがなす角度での鋭角側の角度である。傾斜角度θ１、θ２は、小さいほど鋭角となり、延在方向に対する傾斜が緩やかとなる。
【００３２】
本実施形態では、離間側傾斜面である第１傾斜面７１、第３傾斜面７３、第４傾斜面７４の傾斜角度θ２は、相互に同等になるように設定される。一方、隔壁側傾斜面である第２傾斜面７２は、傾斜角度θ１が第１傾斜面７１、第３傾斜面７３、第４傾斜面７４の傾斜角度θ２より小さく設定される。すなわち、第２傾斜面７２は、第１傾斜面７１、第３傾斜面７３、第４傾斜面７４と比較して、延在方向に対する傾斜が緩やかな傾斜面として形成される。
【００３３】
そして、第２傾斜面７２は、オス端子挿入口６から端部壁２１の外面２１ａまで延在して形成され、延在方向におけるオス端子側の縁７２ａの全体が当該端部壁２１の外面２１ａに位置する。つまり、第２傾斜面７２は、延在方向におけるオス端子側の位置が第１傾斜面７１、第３傾斜面７３、第４傾斜面７４の延在方向におけるオス端子側の位置とほぼ同様の位置に形成され、外面２１ａまで延在している。より詳細には、第２傾斜面７２は、隔壁９に形成され、端部壁２１の外面２１ａ側の縁７２ａが隣接空間部８の端部壁２１の外面２１ａ側の縁８ａと隣接する。隔壁９は、延在方向に対する端部壁２１側の端面が外面２１ａ内に位置している。そして、第２傾斜面７２は、傾斜角度θ１が傾斜角度θ２より小さく、かつ、縁７２ａが隣接空間部８の縁８ａに対して、構造強度上、製造上、可能な限り接近するような傾斜面として形成される。ここでは、縁７２ａと縁８ａとは、高さ方向に対して互いに対向し、幅方向に沿って平行に直線状に形成される。
【００３４】
本実施形態のコネクタ１は、上記のように構成されることで、第２傾斜面７２の面積が、当該第２傾斜面７２の傾斜角度θ１が第１傾斜面７１、第３傾斜面７３、第４傾斜面７４の傾斜角度θ２と同等であると仮想した場合の仮想面積より大きくなるように構成される。言い換えれば、コネクタ１は、第２傾斜面７２の面積が当該仮想面積より大きくなるように、傾斜角度θ１が設定される。
【００３５】
ここで、図４、図５は、比較例に係るコネクタ２０１を表している。当該比較例に係るコネクタ２０１は、上記で仮想したように、第２傾斜面７２にかえて第２傾斜面２７２を含んで構成され、当該第２傾斜面２７２の傾斜角度θ２が第１傾斜面７１、第３傾斜面７３、第４傾斜面７４の傾斜角度θ２と同等になるように形成されている。比較例に係るコネクタ２０１は、隣接空間部８の端部壁２１側の開口が案内傾斜面７の第２傾斜面２７２と重なって、第２傾斜面２７２の一部が切り欠かれており、その分、第２傾斜面２７２によるオス端子１０１の案内面積が相対的に小さくなっている（図５等参照）。
【００３６】
これに対して、本実施形態のコネクタ１は、第２傾斜面７２の傾斜角度θ１が傾斜角度θ２より小さく設定され、かつ、端部壁２１の外面２１ａ側の縁７２ａの全体が当該端部壁２１の外面２１ａに位置しており、第２傾斜面７２が隣接空間部８によって切り欠かれないように構成される。そしてここでは、コネクタ１は、第２傾斜面７２の面積が当該比較例に係るコネクタ２０１の第２傾斜面２７２の面積（上記の仮想面積に相当）より大きくなるように構成される。
【００３７】
以上で説明したコネクタ１によれば、ハウジング２の内部に延在して中空状に形成され延在方向に沿ってメス端子１００を挿入可能であるキャビティ３と、ハウジング２の内部に形成されキャビティ３に挿入されたメス端子１００を係止可能であるランス５と、キャビティ３の延在方向の一方側に位置するハウジング２の端部壁２１を延在方向に沿って貫通しキャビティ３と連通するオス端子挿入口６と、端部壁２１の外面２１ａ側にオス端子挿入口６を囲んでオス端子挿入口６側から外面２１ａ側に向けて広がるテーパ状に形成されメス端子１００と接続されるオス端子１０１をオス端子挿入口６へ案内可能である案内傾斜面７と、ハウジング２の内部に延在方向と交差する方向に対してオス端子挿入口６との間に隔壁９を挟んで中空状に形成され、延在方向に沿って端部壁２１の外面２１ａからランス５まで延在する隣接空間部８とを備える。そして、案内傾斜面７は、少なくとも隔壁９側に位置する第２傾斜面７２と、第２傾斜面７２より隔壁９から離間した側に位置する第１傾斜面７１、第３傾斜面７３、及び、第４傾斜面７４とを有し、第２傾斜面７２は、延在方向に対する傾斜角度θ１が第１傾斜面７１、第３傾斜面７３、及び、第４傾斜面７４の傾斜角度θ２より小さく、かつ、端部壁２１の外面２１ａ側の縁７２ａの全体が当該端部壁２１の外面２１ａに位置する。
【００３８】
したがって、コネクタ１は、第２傾斜面７２の傾斜角度θ１が第１傾斜面７１、第３傾斜面７３、第４傾斜面７４の傾斜角度θ２より小さく設定され、かつ、当該第２傾斜面７２の縁７２ａの全体が当該端部壁２１の外面２１ａに位置することから、当該第２傾斜面７２が隣接空間部８によって切り欠かれないように構成することができる。これにより、コネクタ１は、例えば、第２傾斜面７２と隣接空間部８とが近接する場合であっても、第２傾斜面７２の縁７２ａを第１傾斜面７１、第３傾斜面７３、第４傾斜面７４と同様に端部壁２１の外面２１ａに揃えることができ、第２傾斜面７２を適正に確保することができる。この結果、コネクタ１は、オス端子１０１を案内傾斜面７によって確実にオス端子挿入口６へ案内することができるので、端子挿入時の案内機能を確実に確保することができる。これにより、コネクタ１は、例えば、オス端子１０１のタブ１０２をオス端子挿入口６に挿入する際に、タブ１０２が隣接空間部８側に誤挿入されることを抑制することができる。
【００３９】
さらに言えば、このコネクタ１は、ランス５の係合爪部５１の頭頂面５１ｃの高さ寸法Ｌ１を相対的に高くすることで、ランス５の係合爪部５１とメス端子１００の被係合部との係合代を相対的に大きくし、ランス５による端子保持力を向上することができる。そしてこの場合に、コネクタ１は、上記高さ寸法Ｌ１を高くすることによってランス５ための金型の型抜き用の空間である隣接空間部８の高さ方向に沿った寸法もこれに伴って高くなった場合であっても、上記のように第２傾斜面７２が隣接空間部８によって切り欠かれないように構成することができ、第２傾斜面７２を適正に確保することができる。この結果、コネクタ１は、機構の大型化を抑制しつつ、ランス５による端子保持力を向上させた場合であっても、案内傾斜面７による端子挿入時の案内機能を確実に確保することができる。つまり、コネクタ１は、機構の大型化を抑制しつつ、ランス５による端子保持力向上と、案内傾斜面７による端子案内機能の低下抑制とを両立することができる。
【００４０】
さらに、以上で説明したコネクタ１によれば、第２傾斜面７２は、隔壁９に形成され、端部壁２１の外面２１ａ側の縁７２ａが隣接空間部８の端部壁２１の外面２１ａ側の縁８ａと隣接する。したがって、コネクタ１は、第２傾斜面７２が隣接空間部８によって切り欠かれない範囲で当該第２傾斜面７２の面積を可能な限り広く確保することができると共に、隔壁９の端面を端部壁２１の外面２１ａに揃えることができるので、端子挿入時の案内機能をより確実に確保することができる。
【００４１】
より詳細には、以上で説明したコネクタ１によれば、第２傾斜面７２の面積は、当該第２傾斜面７２の傾斜角度θ１が第１傾斜面７１、第３傾斜面７３、第４傾斜面７４の傾斜角度θ２と同等であると仮想した場合の仮想面積より大きい。したがって、コネクタ１は、第２傾斜面７２の傾斜角度θ１が第１傾斜面７１等の傾斜角度θ２と同等に設定された場合と比較して、当該第２傾斜面７２の面積を相対的に大きく確保することができるので、端子挿入時の案内機能をより確実に確保することができる。
【００４２】
なお、上述した本発明の実施形態に係るコネクタは、上述した実施形態に限定されず、特許請求の範囲に記載された範囲で種々の変更が可能である。
【００４３】
以上の説明では、コネクタ１は、電線対電線接続用の接続機構であるものとして説明したが、これに限らず、電線対基板用、電線対機器用の接続機構に適用されてもよい。
【符号の説明】
【００４４】
１    コネクタ
２    ハウジング
３    キャビティ
４    メス端子挿入口
５    ランス（係止爪）
６    オス端子挿入口（挿入口）
７    案内傾斜面
８    隣接空間部
８ａ    縁
９    隔壁
２１    端部壁
２１ａ    外面
７１    第１傾斜面（離間側傾斜面）
７２    第２傾斜面（隔壁側傾斜面）
７２ａ    縁
７３    第３傾斜面（離間側傾斜面）
７４    第４傾斜面（離間側傾斜面）
１００    メス端子（第１端子）
１０１    オス端子（第２端子）
１０２    タブ
θ１、θ２    傾斜角度
【図１】
2016038979.tif 000003
【図２】
2016038979.tif 000004
【図３】
2016038979.tif 000005
【図４】
2016038979.tif 000006
【図５】
2016038979.tif 000007